(57)【要約】【課題】  放電防止用ダイオードによる充電電圧の低下による充電時間の増加を低減する。【解決手段】  ダイオード１つと、電池電圧を監視してその電圧値に応じてそのダイオードを短絡する手段を設けるだけで、電池に過大電圧が印加されることなく、放電防止用ダイオードの電圧降下による充電電圧の減少を軽減することができ、これにより、充電時間を短縮することが可能となる。【選択図】  図１
2010161908.tif 000002
【特許請求の範囲】
【請求項１】
２次電池、該２次電池を充電する充電手段、該充電回路を制御する制御手段、からなる携帯機器において、
前記充電手段は、前記２次電池の放電防止をする放電防止ダイオード、前記２次電池への充電電圧を切り替える充電電圧切替ダイオード、前記２次電池の電圧検出する電池電圧検出手段、を備え、
前記制御手段は、前記電池電圧検出手段により検出された電池電圧が入力される入力手段、該入力手段に入力された電池電圧が予め記憶されている規定値以上となった場合に、前記充電電圧切替ダイオードを短絡させる短絡手段、を備えることを特徴とする携帯機器。
【発明の詳細な説明】
【技術分野】
【０００１】
本発明は、２次電池およびその電池を充電する機能を有する携帯機器に関する。
【背景技術】
【０００２】
図３に従来技術としての充電回路構成を示す。200は２次電池で、300はこの電池を充電するための充電回路、1は電池200の負荷である。500は専用の充電器で、本携帯機器を500に載せることにより、電磁誘導によりコイル301に起電力が発生する。302はコイル301との共振をとるためのコンデンサ、303はコイル301に発生する交流電圧を整流するダイオードである。305は２次電池200への充電電圧を制御するレギュレータで、304、306は夫々305の入力コンデンサおよび出力コンデンサである。307は充電電流の制限抵抗、308は放電防止用ダイオードである。
【０００３】
通常２次電池には充電電流、充電電圧、終止電圧が規定されており、これらの値とレギュレータ出力電圧から電流制限抵抗307の値が数式１によって決まる。
【０００４】
(数１)
電流制限抵抗値≧（レギュレータ出力電圧―電池終止電圧）÷充電制限電流
よって、本来、充電電流は数式２によって求められる値となるのが理想的である
【０００５】
(数２)
充電電流＝（レギュレータ出力電圧―電池電圧）÷電流制限抵抗値
しかし、数式１に従って電流制限抵抗値を決めると、電池200および充電電流制限抵抗307に加わる電圧が、放電防止用ダイオード308の順方向電圧（Vfoとする）の分だけ低くなるため、実際の充電電流は数式３によって求められる値となる。
【０００６】
(数３)
充電電流＝（レギュレータ出力電圧―電池電圧―Vfo）÷電流制限抵地値
上記充電電圧の低下については、例えば特許文献１の段落「０００６」、「０００７」に記載されている。
【先行技術文献】
【特許文献】
【０００７】
【特許文献１】特開２００６−２９６０８１号公報
【発明の概要】
【発明が解決しようとする課題】
【０００８】
図３に示すような従来技術においては、数式２における理想的な充電電流を得ることができず、充電時間が長くかかってしまう。
上記課題に鑑み、本願発明は、放電防止用ダイオードによる充電電圧の低下による充電時間の増加を低減することを目的とする。
【課題を解決するための手段】
【０００９】
上記課題を解決するために、請求項１に記載の携帯機器によれば、２次電池、該２次電池を充電する充電手段、該充電回路を制御する制御手段、からなる携帯機器において、前記充電手段は、前記２次電池の放電防止をする放電防止ダイオード、前記２次電池への充電電圧を切り替える充電電圧切替ダイオード、前記２次電池の電圧検出する電池電圧検出手段、を備え、前記制御手段は、前記電池電圧検出手段により検出された電池電圧が入力される入力手段、該入力手段に入力された電池電圧が予め記憶されている規定値以上となった場合に、前記充電電圧切替ダイオードを短絡させる短絡手段、を備えることを特徴とする。
【発明の効果】
【００１０】
本発明によれば、２次電池を有する携帯機器において、ダイオード１つと、電池電圧を監視してその電圧値に応じてそのダイオードを短絡する手段を設けるだけで、電池に過大電圧が印加されることなく、放電防止用ダイオードの電圧降下による充電電圧の減少を軽減することができ、これにより、充電時間を短縮することが可能となる。
【図面の簡単な説明】
【００１１】
【図１】第１の実施形態に係る２次電池を有する携帯機器の構成図である。
【図２】第１の実施形態に係る充電電圧制御動作を示すフローチャートである。
【図３】従来技術による２次電池を有する携帯機器の構成図である。
【発明を実施するための形態】
【００１２】
本発明の第１の実施形態について、図１および図２を用いて説明する。
図１は本発明の第１の実施形態としての２次電池を有する携帯機器の構成図である。図１において１１００はマイコンで本機器の制御を行っている。１１００はＣＰＵ１１０１、ＲＯＭ１１０２、ＲＡＭ１１０３、ＡＤコンバータ１１０４、リファレンス電源１１０５、ＩＯポート １１０６、充電電圧制御用ＩＯポート１１０７、タイマ１１０８、クロック１１０９を有する。１２００は２次電池で、マイコン１１００への電源供給を行う。１３００は２次電池１２００用の充電回路、１５００は専用の充電器であり、本機器を１５００に載せることにより、電磁誘導によりコイル１３０１に起電力が発生する。１３０２はコイル１３０１との共振をとるためのコンデンサ、１３０３はコイル１３０１に発生する交流電圧を整流するダイオードである。１３０５は２次電池１２００への充電電圧を制御するレギュレータで、１３０４、１３０６は夫々１３０５の入力コンデンサおよび出力コンデンサである。１３０７は充電電流の制限抵抗、１３０８は放電防止用ダイオードである。１３０９は電池１２００の充電電圧を制御するダイオード、１３１０，１３１１は電池電圧を分圧してマイコン１１００内のADコンバータ１１０４に入力するための分圧抵抗である。
図２は本発明実施例の充電電圧制御動作を示すフローチャートであり、一定の時間毎（例えば５秒毎）にこのフローを実行する。まず、Ｓ２０１で電池電圧を測定する。Ｓ２０２でこの電圧と規定電圧（例えば３Ｖ）とを比較する。この電圧は、電池の充電電圧の定格値未満とする必要がある。
【００１３】
電池電圧が規定電圧に達していない場合は、Ｓ２０５で充電電圧制御用IOポート１１０７を入力ポートに設定する。この時のダイオード３０９の順方向電圧をＶｆ１とすると、充電電流は数式４のよって求められる。
【００１４】
(数４)
充電電流＝（レギュレータ出力電圧＋Ｖｆ１―電池電圧―Ｖｆｏ）
÷電流制限抵抗値
ここで、ダイオード１３０８と１３０９の順方向電圧は数式５の関係とみなすことができる。
【００１５】
(数５)
Ｖｆｏ≒Ｖｆ１
よって、最終的に充電電流は数式６によって求めらる値とみなすことができる。
【００１６】
(数６)
充電電流≒（レギュレータ出力電圧―電池電圧）÷電流制限抵抗値
これにより、ダイオード１３０８の順方向電圧による影響を抑えることが可能である。
一方、Ｓ２０２電池電圧が規定電圧を超えている場合、Ｓ２０５で充電電圧制御用ＩＯポート１１０７を出力ポートに設定し、「０」を設定し０Ｖを出力する。これにより、ダ
イオード１３０９が短絡されるため、電池に過大電圧が印加されることは無い。
【００１７】
以上のように電池電圧を監視し、その電圧に応じて充電電圧制御用ダイオードを制御することにより、電池に過大電圧が印加されることなく、放電防止用ダイオードの影響を軽減することができ、十分な充電電流の確保ができる。
本発明によれば、２次電池を有する携帯機器において、ダイオード１つと、電池電圧を監視してその電圧値に応じてそのダイオードを短絡する手段を設けるだけで、電池に過大電圧が印加されることなく、放電防止用ダイオードの電圧降下による充電電圧の減少を軽減することができ、これにより、充電時間を短縮することが可能となる。
【符号の説明】
【００１８】
１１００    マイコン
１２００    ２次電池
１３００    充電回路
１５００    充電器
【図１】
2010161908.tif 000003
【図２】
2010161908.tif 000004
【図３】
2010161908.tif 000005